(57)【要約】【課題】２つのファンロータを有する遠心ファンであって、製造のための初期コストを軽減させ、さらに送風機への組み込みを容易にさせる。【解決手段】遠心ファン２０は、第１ファンロータ２１ａと、第２ファンロータ２２ａと、第１ファンロータ２１ａに固着される第１ボス２１ｂと、第２ファンロータ２２ａに固着される第２ボス２２ｂとを備えている。第１ファンロータ２１ａは第１主板２１ｃを有し、第２ファンロータ２２ａは第１主板２１ｃと対向して配置される第２主板２２ｃを有している。第１ボス２１ｂは、モーターのシャフトが軸着される内周部と、第１主板２１ｃが固着される外周部とを有している。第１ボス２１ｂは、その一部が第２主板側に突出するように第１主板２１ｃに固着されている。第２ボス２２ｂは、第１ボス２１ｂの突出部分の外周部と嵌合する内周部と、第２主板２２ｃが固着される外周部とを有している。【選択図】　　　　図６
2004003466.tif 000002
【特許請求の範囲】
【請求項１】
モーター（８１、１８１）に軸着され、回転駆動される遠心ファンであって、第１主板（２１ｃ、１２１ｃ）を有する第１ファンロータ（２１ａ、１２１ａ）と、
前記第１主板（２１ｃ、１２１ｃ）と対向して配置される第２主板（２２ｃ、１２２ｃ）を有する第２ファンロータ（２２ａ、１２２ａ）と、
前記モーター（８１、１８１）のシャフト（８２、１８２）が軸着される内周部と前記第１主板（２１ｃ、１２１ｃ）が固着される外周部とを有する第１ボス（２１ｂ、１２１ｂ）と、
前記第２主板（２２ｃ、１２２ｃ）が固着される外周部を有する第２ボス（２２ｂ、１２２ｂ）と、
を備え、
前記第１ボス（２１ｂ、１２１ｂ）は、その一部が第２主板側に突出するように第１主板（２１ｃ、１２１ｃ）に固着され、
前記第２ボス（２２ｂ、１２２ｂ）は、前記第１ボス（２１ｂ、１２１ｂ）の突出部分の外周部と嵌合する内周部を有する、
遠心ファン（２０、１２０）。
【請求項２】
前記第１ファンロータ（２１ａ、１２１ａ）の構造と前記第２ファンロータ（２２ａ、１２２ａ）の構造とは、前記第１主板（２１ｃ、１２１ｃ）および前記第２主板（２２ｃ、１２２ｃ）以外の構造が一対の鏡体となる、請求項１に記載の遠心ファン（２０、１２０）。
【請求項３】
前記第１ファンロータ（２１ａ、１２１ａ）と前記第２ファンロータ（２２ａ、１２２ａ）とは、それぞれ異なる回転軸方向の長さを有する、請求項１に記載の遠心ファン（２０、１２０）。
【請求項４】
前記第１ボス（１２１ｂ）は、前記第２ボス（１２２ｂ）の内周部が前記第１ボス（１２１ｂ）の突出部分の外周部に嵌合された際に、前記第２ボス（１２２ｂ）を所定の軸方向位置に位置決めする当接部（１２１ｅ）をさらに有する、請求項１に記載の遠心ファン（１２０）。
【請求項５】
前記当接部（１２１ｅ）は、前記第１主板（１２１ｃ）が固着される前記第１ボス（１２１ｂ）の外周部を形成し、
前記第１ボス（１２１ｂ）の前記第１主板（１２１ｃ）が固着される外周部は、前記第２ボス（１２２ｂ）の前記第２主板（１２２ｃ）が固着される外周部と同じ半径方向位置にある、
請求項４に記載の遠心ファン（１２０）。
【請求項６】
前記第１ファンロータ（２１ａ、１２１ａ）および前記第２ファンロータ（２２ａ、１２２ａ）は、シロッコファンである、
請求項１から５のいずれかに記載の遠心ファン（２０、１２０）。
【請求項７】
前記第１ボス（２１ｂ、１２１ｂ）および前記第２ボス（２２ｂ、１２２ｂ）は、それぞれの外周部から内周部に貫通する螺子穴を有し、
前記第１ボス（２１ｂ、１２１ｂ）は、その内周部に軸着される前記モーター（８１、１８１）の前記シャフト（８２、１８２）と第１螺子（３１、１３１）により止着され、
前記第２ボス（２２ｂ、１２２ｂ）は、その内周部に嵌合される前記第１ボス（２１ｂ、１２１ｂ）と第２螺子（３２、１３２）により止着される、
請求項１から６のいずれかに記載の遠心ファン（２０、１２０）。
【請求項８】
前記第１ボス（２１ｂ、１２１ｂ）は、外周部から内周部に貫通する螺子穴を有し、
前記第１ボス（２１ｂ、１２１ｂ）は、その内周部に軸着される前記モーター（８１、１８１）の前記シャフト（８２、１８２）と第１螺子（３１、１３１）により止着され、
前記第２ボス（２２ｂ、１２２ｂ）が前記第１ボス（２１ｂ、１２１ｂ）に嵌合された状態で軸方向及び回転方向に移動不能に止着させる止着手段をさらに有する、
請求項１から６のいずれかに記載の遠心ファン（２０、１２０）。
【請求項９】
前記止着手段は、前記第１ボス（２１ｂ）の外周部及び前記第２ボス（２２ｂ）の内周部の一方に設けられた凸部（２１ｅ）と、前記第１ボス（２１ｂ）の外周部及び前記第２ボス（２２ｂ）の内周部の他方に前記凸部（２１ｅ）に係合可能に設けられた凹部（２２ｅ）とを有する、請求項８に記載の遠心ファン（２０）。
【請求項１０】
前記止着手段は、前記第１ボス（２１ｂ）の外周部に前記シャフト（８２）の軸方向に向かうように設けられた螺旋状の第１係合螺子部（２１ｆ）と、前記第２ボス（２２ｂ）の内周部に前記第１係合螺子部（２１ｆ）に前記シャフト（８２）の軸方向から螺合可能に設けられた第２係合螺子部（２２ｆ）とを有する、請求項８に記載の遠心ファン（２０）。
【請求項１１】
前記止着手段は、前記第１ボス（２１ｂ）の外周部と前記第２ボス（２２ｂ）の内周部とを接着する接着剤（４２）である、請求項８に記載の遠心ファン（２０）。
【請求項１２】
前記第１主板（２１ｃ、１２１ｃ）は、前記第２主板（２２ｃ、１２２ｃ）に対して止着される、請求項１から１１のいずれかに記載の遠心ファン（２０、１２０）。
【発明の詳細な説明】
【０００１】
【発明の属する技術分野】
本発明は、遠心ファン、特に２つのファンロータを有する遠心ファンに関する。
【０００２】
【従来の技術】
空気清浄機やエアコンなどの空調装置においては、送風を行うために、遠心ファンを有する送風機が用いられることがある。この遠心ファンとして、送風機の仕様にあわせて様々な形状のものが用いられる。遠心ファンは、片吸込ファンと両吸込ファンとに大別される。図１に片吸込ファンの一例を示す。片吸込ファン１１は、ファンロータ１１ａと、ファンロータ１１ａに固着されるボス１１ｂとから構成される。ファンロータ１１ａは、円板状の主板１１ｃと、主板の片面外周縁に固定される多数枚の羽根１１ｄとを有する。ボス１１ｂは、主板１１ｃに固着される外周部と、片吸込ファン１１を回転駆動させるモーターのシャフトが軸着される内周部とを有する。図２に両吸込ファンの一例を示す。両吸込ファン１２は、ファンロータ１２ａと、ファンロータ１２ａに固着されるボス１２ｂとから構成される。ファンロータ１２ａは、円板状の主板１２ｃと、主板１２ｃの両面外周縁に固定される多数枚の羽根１２ｄとを有する。ボス１２ｂは、主板１２ｃの中心部に固着される外周部と、両吸込ファン１２を回転駆動させるモーターのシャフトが軸着される内周部とを有する。この両吸込ファン１２の製造に際しては、専用の金型が作成され、ファンロータ１２ａとボス１２ｂとが一体的に成形される。専用の金型を作成することは、両吸込ファン１２の製造に際しての初期コストを大きくする原因となる。
【０００３】
この問題を解決するために、図３に示す遠心ファン１３が考えられている。遠心ファン１３は、片吸込ファン１４と、片吸込ファン１４の鏡体となる片吸込ファン１５とから構成される。図４に遠心ファン１３の径方向断面図を示す。片吸込ファン１４は、ファンロータ１４ａと、ファンロータ１４ａに固着されるボス１４ｂとから構成される。ファンロータ１４ａは、円板状の主板１４ｃと、主板の片面外周縁に固定される多数枚の羽根１４ｄとを有する。ボス１４ｂは、主板１４ｃに固着される外周部と、片吸込ファン１４を回転駆動させるモーター８１のシャフト８２が軸着される内周部とを有する。また、片吸込ファン１５は、ファンロータ１５ａと、ファンロータ１５ａに固着されるボス１５ｂとから構成される。ファンロータ１５ａは、円板状の主板１５ｃと、主板の片面外周縁に固定される多数枚の羽根１５ｄとを有する。ボス１５ｂは、主板１５ｃに固着される外周部と、片吸込ファン１５を回転駆動させるモーター８１のシャフト８２が軸着される内周部とを有する。これら、２つの片吸込ファンをそれぞれの主板を対向させて組み合わせることにより、遠心ファン１３は、両吸込ファン１２と同様の性能を実現することができる。さらに、片吸込ファン１４および片吸込ファン１５は、それぞれ独立に使用可能である。ここで、遠心ファン１３の製造に際しては、片吸込ファン１４と片吸込ファン１５とを製造し、それらを組み合わせれば良い。すなわち、遠心ファン１３に専用の金型を作成する必要はなくなる。
【０００４】
しかし、この遠心ファン１３を送風機へ組み込む際に、次の問題が発生すると考えられる。遠心ファン１３の送風機への組み込みに際しては、それぞれ独立した２つの片吸込ファンをシャフト８２に取り付ける必要がある。このため、遠心ファン１３を送風機へ組み込む際の工数が増加し、組み込みの手間がかかる。また、部品点数の増加により、部品管理コストが増加する。これを解決するために、片吸込ファン１４と片吸込ファン１５とを一体的に固定し、２つの片吸込ファンをまとめてシャフト８２に取り付けることも考えられる。しかし、２つの片吸込ファンを固定する際に、ボス１４ｂの内周部とボス１５ｂの内周部とのずれがあると、シャフト８２に対して片吸込ファン１４と片吸込ファン１５とを一度に取り付けることは難しいと考えられる。
【０００５】
【発明が解決しようとする課題】
以上のことから、両吸込ファン１２および遠心ファン１３では、製造のための初期コストを軽減させるという課題と送風機への組み込みを容易にさせるという課題を同時に解決することは難しい。
そこで、本発明では、２つのファンロータを有する遠心ファンであって、製造のための初期コストを軽減させ、さらに送風機への組み込みを容易にさせる遠心ファンを提供することを課題とする。
【０００６】
【課題を解決するための手段】
請求項１にかかる遠心ファンは、モーターに軸着され回転駆動される遠心ファンであって、第１ファンロータと、第２ファンロータと、第１ファンロータに固着される第１ボスと、第２ファンロータに固着される第２ボスとを備えている。第１ファンロータは、第１主板を有している。第２ファンロータは、第１主板と対向して配置される第２主板を有している。第１ボスは、モーターのシャフトが軸着される内周部と、第１主板が固着される外周部とを有している。さらに、第１ボスは、その一部が第２主板側に突出するように第１主板に固着されている。第２ボスは、第１ボスの突出部分の外周部と嵌合する内周部と、第２主板が固着される外周部とを有している。
【０００７】
この発明にかかる遠心ファンは、第１ファンロータと第１ボスからなる遠心ファン（以下、第１遠心ファン）と、第２ファンロータと第２ボスからなる遠心ファン（以下、第２遠心ファン）との２つの遠心ファンから構成される。これら２つの遠心ファンは、それぞれ独立して使用することが可能である。発明にかかる遠心ファンの製造に際しては、第１遠心ファンと第２遠心ファンとを製造し、それらを組み合わせれば良い。これにより、この発明にかかる遠心ファンに対して、専用の金型を作成する必要がなくなる。また、第２遠心ファンを第１遠心ファンに固定する際にずれが生じていても、この発明にかかる遠心ファンのモーターのシャフトへの取り付けには影響しない。これは、モーターのシャフトと直接接触するのは、第１ボスの内周部のみであるという理由による。
【０００８】
以上により、２つのファンロータを有する遠心ファンであって、製造のための初期コストを軽減させ、さらに送風機への組み込みを容易にさせる遠心ファンを提供することができる。
ここで、第１ファンロータあるいは第２ファンロータは、例えば、シロッコファン、ラジアルファンなどの多翼ファンやターボファンなどであり、それぞれ独立して自由に選択されうる。また、それぞれのファンロータの形状あるいは特性なども自由に選択されうる。
【０００９】
請求項２にかかる遠心ファンは、請求項１に記載の遠心ファンであって、第１ファンロータの構造と前記第２ファンロータの構造とは、前記第１主板および前記第２主板以外の構造が一対の鏡体となる。
この遠心ファンは、例えば、２つのファンロータが同じ特性を持つことが求められるような送風機などに対して使用できる。また、遠心ファンの製造のための初期コストを軽減させ、さらに送風機などへの組み込みを容易にさせる遠心ファンを提供することができる。
【００１０】
ここで、２つのファンロータが同じ特性を持つことが求められるのは、例えば、遠心ファンの回転駆動時に遠心ファンのバランスの偏りにより発生する遠心ファンの振動などを抑えることが求められる場合である。
請求項３にかかる遠心ファンは、請求項１に記載の遠心ファンであって、前記第１ファンロータと前記第２ファンロータとは、それぞれ異なる回転軸方向の長さを有する。
【００１１】
この遠心ファンにおいては、第１ファンロータと第２ファンロータとの回転軸方向の長さを自由に選ぶことができる。これにより、本発明の遠心ファンを取り付ける送風機などにおいて、遠心ファンの形状にとらわれず設計を行うことができ、設計の自由度を高めることができる。
請求項４にかかる遠心ファンは、請求項１に記載の遠心ファンであって、第１ボスは、第２ボスの内周部が第１ボスの突出部分の外周部に嵌合された際に、第２ボスを所定の軸方向位置に位置決めする当接部をさらに有する。
【００１２】
この遠心ファンにおいては、第２ボスが第１ボスによって、軸方向の位置決めがなされるため、第２ボスの第１ボスへの組み付けが容易になる。
請求項５にかかる遠心ファンは、請求項４に記載の遠心ファンであって、当接部は、第１主板が固着される第１ボスの外周部を形成している。第１ボスの第１主板が固着される外周部は、第２ボスの第２主板が固着される外周部と同じ半径方向位置にある。
【００１３】
この遠心ファンにおいては、第１ボスの当接部が第１主板が固着される外周部を形成しており、第２ボスの第２主板が固着される外周部と同じ半径方向位置にあるため、第１主板の構造と第２主板の構造とを同じにすることができ、その結果、主板の構造を含めて、第１ファンロータの構造と第２ファンロータの構造とを一対の鏡体にすることが可能になる。
【００１４】
請求項６にかかる遠心ファンは、請求項１から５のいずれかに記載の遠心ファンであって、前記第１ファンロータおよび前記第２ファンロータは、シロッコファンである。
この遠心ファンにおいては、送風機などに一般的に用いられることの多いシロッコファンをファンロータとして備える。これにより、他の送風機などに用いられているシロッコファンを流用することができ、本発明の遠心ファンの製造のための初期コストをさらに軽減させることができる。
【００１５】
請求項７にかかる遠心ファンは、請求項１から６のいずれかに記載の遠心ファンであって、第１ボスおよび第２ボスは、それぞれの外周部から内周部に貫通する螺子穴を有している。この螺子穴を用いて、第１ボスは、その内周部に軸着されるモーターのシャフトと第１螺子により止着される。また、第２ボスは、その内周部に嵌合される第１ボスと第２螺子により止着される。
【００１６】
第２ボスが第２螺子により第１ボスと止着されることで、第１ファンロータと第１ボスからなる遠心ファンは、第２ファンロータと第２ボスからなる遠心ファンに、より確実に固定される。これにより、本発明の遠心ファンを送風機などに組み込む作業においても、本発明の遠心ファンを一体的に扱うことがより確実となる。また、第１ボスが第１螺子によりモーターのシャフトと止着されることで、本発明の遠心ファンをモーターのシャフトに対して、より確実に固定することができる。
【００１７】
請求項８にかかる遠心ファンは、請求項１から６のいずれかに記載の遠心ファンであって、第１ボスは、外周部から内周部に貫通する螺子穴を有している。第１ボスは、その内周部に軸着されるモーターのシャフトと第１螺子により止着される。そして、第２ボスが第１ボスに嵌合された状態で軸方向及び回転方向に移動不能に止着させる止着手段をさらに有している。
【００１８】
この遠心ファンにおいては、第２ボスが止着手段により第１ボスと止着されることで、第１ファンロータと第１ボスからなる遠心ファンは、第２ファンロータと第２ボスからなる遠心ファンに、より確実に固定される。これにより、本発明の遠心ファンを送風機などに組み込む作業においても、本発明の遠心ファンを一体的に扱うことがより確実となる。また、第１ボスが第１螺子によりモーターのシャフトと止着されることで、本発明の遠心ファンをモーターのシャフトに対して、より確実に固定することができる。
【００１９】
請求項９にかかる遠心ファンは、請求項８に記載の遠心ファンであって、止着手段は、凸部と凹部とを有している。凸部は、第１ボスの外周部及び第２ボスの内周部の一方に設けられている。凹部は、第１ボスの外周部及び第２ボスの内周部の他方に凸部に係合可能に設けられている。
この遠心ファンにおいては、止着手段が凸部及び凹部とから構成されているため、第２ボスを第１ボスに嵌合させるだけで、第２ボスが第１ボスに容易に止着される。
【００２０】
請求項１０にかかる遠心ファンは、請求項８に記載の遠心ファンであって、止着手段は、第１係合螺子部と第２係合螺子部とを有している。第１係合螺子部は、第１ボスの外周部にシャフトの軸方向に向かうように設けられた螺旋状の螺子部である。第２係合螺子部は、第２ボスの内周部に第１係合螺子部にシャフトの軸方向から螺合可能に設けられている。
【００２１】
この遠心ファンにおいては、止着手段がシャフトの軸方向に向かって設けられた第１及び第２係合螺子部から構成されているため、第２ボスを第１ボスにねじ込んで係合させるだけで、第２ボスが第１ボスに容易に止着される。
請求項１１にかかる遠心ファンは、請求項８に記載の遠心ファンであって、止着手段は、第１ボスの外周部と第２ボスの内周部とを接着する接着剤である。
【００２２】
請求項１２に記載の遠心ファンは、請求項１から１１のいずれかに記載の遠心ファンであって、第１主板は、第２主板に対して止着される。
第１主板が第２主板と止着されることにより、第１ファンロータと第１ボスとからなる遠心ファンは、第２ファンロータと第２ボスとからなる遠心ファンに、より確実に固定される。これにより、本発明の遠心ファンの強度を増すことができる。
【００２３】
ここで、止着の方法としては、例えば、第１主板と第２主板とを螺子止めする方法や接着する方法などがあげられる。
【００２４】
【発明の実施の形態】
［第１実施形態］
〈遠心ファン２０の構成〉
図５に本発明の第１実施形態による遠心ファン２０を示す。
この遠心ファン２０は、例えば、空気清浄機やエアコンなどの空調装置の送風機などに用いられるものであり、第１遠心ファン２１と、第２遠心ファン２２とを備えている。
【００２５】
〈第１遠心ファン２１および第２遠心ファン２２の構成〉
図６は、遠心ファン２０の径方向断面を示している。この図を用いて、第１遠心ファン２１および第２遠心ファン２２の構造について説明する。
第１遠心ファン２１は、第１ファンロータ２１ａと、第１ファンロータに固着される第１ボス２１ｂとを備える。第１ファンロータ２１ａは、第１主板２１ｃと、第１主板２１ｃの片面外周縁に固定される多数枚の羽根２１ｄとを有する。第１ボス２１ｂは、第１主板２１ｃに固着される外周部と、遠心ファン２０を回転駆動させるモーター８１のシャフト８２が軸着される内周部とを有する。
【００２６】
第２遠心ファン２２は、第２ファンロータ２２ａと、第２ファンロータ２２ａに固着される第２ボス２２ｂとを備える。第２ファンロータ２２ａは、第２主板２２ｃと、第２主板２２ｃの片面外周縁に固定される多数枚の羽根２２ｄとを有する。第２ボス２２ｂは、第２主板２２ｃに固着される外周部を有する。
第１遠心ファン２１と第２遠心ファン２２とは、それぞれの主板を対向させて配置される。また、第１ボス２１ｂは、その一部が第２主板側に突出するように第１主板２１ｃに固着されている。さらに、第２ボス２２ｂは、第１ボス２１ｂの突出部分の外周部と嵌合する内周部を有する。
【００２７】
〈遠心ファンの固定〉
第１ボス２１ｂおよび第２ボス２２ｂは、それぞれの外周部から内周部に貫通する螺子穴を１つずつ有している。第１ボス２１ｂは、その内周部に軸着されるシャフト８２と第１螺子３１により止着される。第２ボス２２ｂは、その内周部に嵌合される第１ボス２１ｂと第２螺子３２により止着される。また、第１主板２１ｃと第２主板２２ｃとは、固定用螺子４１により２ヶ所で止着されている。
【００２８】
〈遠心ファン２０の作用と効果〉
この遠心ファン２０は、第１遠心ファン２１と、第２遠心ファン２２とから構成されている。図７に遠心ファン２０を分割した状態を示す。第１遠心ファン２１および第２遠心ファン２２は、それぞれ独立して使用可能である。遠心ファン２０の製造に際しては、第１遠心ファン２１と第２遠心ファン２２とを製造し、それらを組み合わせれば良い。すなわち、遠心ファン２０に専用の金型を作成する必要はなくなる。また、第２遠心ファン２２を第１遠心ファン２１に固定する際にずれが生じていても、遠心ファン２０のシャフト８２への取り付けには影響しない。遠心ファン２０において、シャフト８２と直接接触するのは、第１ボス２１ｂの内周部のみであるという理由による。さらに、第２螺子３２と固定用螺子４１を締め付け、第１遠心ファン２１と第２遠心ファン２２とを固定し、一体的に扱うことができる。遠心ファン２０のシャフト８２への取り付けに際しては、第１螺子３１のみを締め付け、シャフト８２に遠心ファン２０を固定する。
【００２９】
この遠心ファン２０により、２つのファンロータを有する遠心ファンに対して、製造のための初期コストを軽減させることができる。さらに、送風機への組み込み作業に際して、遠心ファンを一体的に扱うことができ、送風機への組み込みを容易にさせることができる。
なお、第１ファンロータ２１ａあるいは第２ファンロータ２２ａは、例えば、シロッコファン、ラジアルファンなどの多翼ファンやターボファンなどであり、それぞれ独立して自由に選択されうる。
【００３０】
〈その他の実施形態〉
（ａ）第１螺子３１による固定
遠心ファン２０においては、図６に示すように、第１螺子３１を用いて、第１ボス２１ｂとシャフト８２とを固定した。しかし、第１ボス２１ｂとシャフト８２との嵌め合いにより十分な強度で固定できるようであれば、第１遠心ファン２１は、第１螺子３１を有さない構造とすることもできる。また、第１螺子３１を使用する場合には、必要な強度に応じてその個数を増やした構造とすることもできる。
【００３１】
（ｂ）第２螺子３２による固定
遠心ファン２０においては、図６に示すように、第２螺子３２を用いて、第１ボス２１ｂと第２ボス２２ｂとを固定した。しかし、第１ボス２１ｂと第２ボス２２ｂとの嵌め合いにより十分な強度で固定できるようであれば、第２遠心ファン２２は、第２螺子３２を有さない構造とすることもできる。また、第２螺子３２を使用する場合には、必要に応じてその個数を増やした構造とすることもできる。
【００３２】
（ｃ）第２螺子３２による固定の変形例
第２遠心ファン２２が第２螺子３２を有する場合には、次の固定方法も考えられる。図６においては、第２ボス２２ｂは外周部から内周部に貫通する螺子穴を有する。ここでさらに、第１遠心ファン２１と第２遠心ファン２２とを組み合わせた状態で、第２ボス２２ｂの螺子穴と同じ位置にくる貫通穴を第１ボス２１ｂの外周部から内周部に設ける。第２ボス２２ｂの螺子穴から挿入された第２螺子３２を締め付けることにより、第２ボス２２ｂとシャフト８２、および第１ボス２１ｂとシャフト８２が止着される。
【００３３】
（ｄ）第２ボス２２ｂの第１ボス２１ｂへの固定の変形例１
遠心ファン２０においては、図６に示すように、第２螺子３２及びこれに対応する螺子穴からなる止着手段を用いて、第１ボス２１ｂと第２ボス２２ｂとを固定している。しかし、図８及び図９に示すように、止着手段が、第１ボス２１ｂの突出部分の外周部に形成された凸部２１ｅと、第２ボス２２ｂの内周部に凸部２１ｅに係合可能に設けられた凹部２２ｅとから構成されており、この凸部２１ｅと凹部２２ｅとが軸方向及び回転方向に移動不能に係合するものであってもよい。このような止着手段であれば、第２ボス２２ｂを第１ボス２１ｂに嵌合させるだけで固定できるため、組み付けが容易である。
【００３４】
尚、本実施形態では、凸部２１ｅ及び凹部２２ｅは、図９に示されるように、回転方向に並んで複数個（具体的には、４個）形成されているが、これに限定されるものではない。また、凸部が第２ボス２２ｂに形成され凹部が第１ボス２１ｂに形成された構成であってもよい。さらに、凸部２１ｅ及び凹部２２ｅの形状は、図８及び図９に示される形状に限定されない。
【００３５】
（ｅ）第２ボス２２ｂの第１ボス２１ｂへの固定の変形例２
また、図１０に示すように、止着手段が、第１ボス２１ｂの突出部分の外周部にシャフト８２の軸方向に向かうように設けられた螺旋状の第１係合螺子部２１ｆと、第２ボス２２ｂの内周部に第１係合螺子部２２ｆにシャフト８２の軸方向から螺合可能に設けられた第２係合螺子部２２ｆとから構成されており、この第２係合螺子部２２ｆが第１係合螺子部２１ｆにねじ込まれることによって、軸方向及び回転方向に移動不能に係合するものであってもよい。このような止着手段であれば、第２係合螺子部２２ｆを第１係合螺子部２１ｆにねじ込むだけで、固定できるため、組み付けが容易である。
【００３６】
尚、第１及び第２係合螺子部２１ｆ、２２ｆは、適切なネジ山やピッチをもって設けられているため、遠心ファン２０の運転時においても、第２ボス２２ｂが第１ボス２１ｂから脱落してしまうこともない。
（ｆ）第２ボス２２ｂの第１ボス２１ｂへの固定の変形例３
さらに、図１１に示すように、止着手段が、第１ボス２１ｂの突出部分の外周部と第２ボス２２ｂの内周部とを接着する接着剤４２であってもよい。
【００３７】
（ｇ）固定用螺子４１による固定
遠心ファン２０においては、図６に示すように、２つの固定用螺子４１を用いて、第１主板２１ｃと第２主板２２ｃとを固定した。しかし、第２螺子３２の締め付け、あるいは第１ボス２１ｂと第２ボス２２ｂとの嵌め合いにより、第１遠心ファン２１と第２遠心ファン２２とが十分な強度で固定されるようであれば、固定用螺子４１を有さない構造とすることもできる。また、固定用螺子４１を使用する場合には、必要に応じてその個数を選択することができる。
【００３８】
（ｈ）第１遠心ファン２１と第２遠心ファン２２の形状および種類
遠心ファン２０では、第１遠心ファン２１および第２遠心ファン２２のファンの形状、大きさ、羽根枚数あるいは種類などは、それぞれ独立に選択されうる。
これにより、遠心ファン２０を組み込む送風機などの設計に際しての自由度があがる。また、この遠心ファン２０の製造の初期コストは低く抑えられる。これにより、例えば、第１ファンロータ２１ａのシャフト８２と第２ファンロータ２２ａとが異なる軸方向長さを有するものを使用したり、第１ファンロータ２１ａと第２ファンロータ２２ａとが異なるロータ外径を有するものを使用する等のように、第１遠心ファン２１および第２遠心ファン２２の形状を様々に変えて、送風機などの開発・試験を行うことができる。これは、開発コストの軽減や開発効率の向上につながる。
【００３９】
［第２実施形態］
図１２に本発明の第２実施形態にかかる遠心ファン１２０を示す。
この遠心ファン１２０は、第１ボス１２１ｂ、第１螺子１３１及び第１主板１２１ｃを除いては、第１実施形態の遠心ファン２０と同じ構造である。したがって、以下においては、第１実施形態の遠心ファン２０と異なる部分の説明のみを行い、遠心ファン２０同じ構造を有する部分の説明を省略する。尚、遠心ファン１２０の各部の符号は、第１実施形態の遠心ファン２０の各部の符号を１００番台の符号として示している。
【００４０】
図１２は、遠心ファン１２０の径方向断面を示している。第１ボス１２１ｂは、第１実施形態の第１ボス２１ｂと同様に、第１主板１２１ｃに固着される外周部と、遠心ファン１２０を回転駆動させるモーター１８１のシャフト１８２が軸着される内周部とを有する。
しかし、本実施形態の第１ボス１２１ｂは、第２ボス１２２ｂの内周部が嵌合された際に、第２ボス１２２ｂを所定の軸方向位置に位置決めする当接部１２１ｅをさらに有している。具体的には、当接部１２１ｅは、第２ボス１２２ｂの第１主板１２１ｃ側の端面に当接するように第１ボス１２１ｂに形成された部分である。これにより、第２ボス１２２ｂが第１ボス１２１ｂによって軸方向の位置決めがなされるため、第２ボス１２２ｂの第１ボス１２１ｂへの組み付けが容易になっている。
【００４１】
また、当接部１２１ｅは、第１ボス１２１ｂの突出部分の外周部の径よりも大きな外径を有しており、第１主板１２１ｃが固着される第１ボス１２１ｂの外周部を形成している。しかも、第１ボス１２１ｂの第１主板１２１ｃが固着される外周部（すなわち、当接部１２１ｅ）は、第２ボス１２２ｂの第２主板１２２ｃが固着される外周部と同じ半径方向位置にあるため、第１主板１２１ｃの構造と第２主板１２２ｃとを同じ構造にすることが可能となり、その結果、主板の構造を含めて、第１ファンロータ１２１ａの構造と第２ファンロータ１２２ａの構造とを一対の鏡体にすることが可能になる。
【００４２】
このように、本実施形態の遠心ファン１２０は、第１実施形態の遠心ファン２０で得られる利点とともに、当接部１２１ｅの形成により、第２ボス１２２ｂの第１ボス１２１ｂへの組み付けが容易になるという利点を有している。尚、本実施形態において、第２ボス１２２ｂと第１ボス１２１ｂとの固定方法としては、第１螺子１３２及び螺子穴からなる止着手段を使用しているが、第１実施形態において、固定方法の変形例として説明した凹部と凸部との係合による固定方法（図８及び図９参照）、軸方向に向かって形成された一対の係合螺子部による固定方法（図１０参照）や接着剤による固定方法（図１１参照）を使用してもよい。
【００４３】
【発明の効果】
請求項１にかかる遠心ファンは、２つのファンロータを有する遠心ファンであって、製造のための初期コストを軽減させ、さらに送風機への組み込みを容易にさせることができる。
請求項２にかかる遠心ファンは、２つのファンロータが同じ特性を持つことが求められるような送風機などに対して使用できる。また、この遠心ファンの製造のための初期コストを軽減させ、さらに送風機などへの組み込みを容易にさせることができる。
【００４４】
請求項３にかかる遠心ファンでは、第１ファンロータと第２ファンロータの回転軸方向の長さを自由に選ぶことができる。これにより、本発明の遠心ファンを取り付ける送風機などにおいて、遠心ファンの形状にとらわれず設計を行うことができ、設計の自由度を高めることができる。
請求項４にかかる遠心ファンでは、第２ボスが第１ボスによって、軸方向の位置決めがなされるため、第２ボスの第１ボスへの組み付けが容易になる。
【００４５】
請求項５にかかる遠心ファンでは、第１ボスの当接部が第１主板が固着される外周部を形成しており、第２ボスの第２主板が固着される外周部と同じ半径方向位置にあるため、第１主板の構造と第２主板の構造とを同じにすることができ、その結果、主板の構造を含めて、第１ファンロータの構造と第２ファンロータの構造とを一対の鏡体にすることが可能になる。
【００４６】
請求項６にかかる遠心ファンでは、他の送風機などに一般的に用いられることの多いシロッコファンを流用することができ、本発明の遠心ファンの製造のための初期コストをさらに軽減させることができる。
請求項７にかかる遠心ファンでは、第２ボスが第２螺子により第１ボスと止着されることで、第１ファンロータと第１ボスからなる遠心ファンは、第２ファンロータと第２ボスからなる遠心ファンに、より確実に固定される。これにより、本発明の遠心ファンを送風機などに組み込む作業においても、本発明の遠心ファンを一体的に扱うことがより確実となる。また、第１ボスが第１螺子によりモーターのシャフトと止着されることで、本発明の遠心ファンをモーターのシャフトに対して、より確実に固定することができる。
【００４７】
請求項８から１１にかかる遠心ファンでは、第２ボスが止着手段により第１ボスと止着されることで、第１ファンロータと第１ボスからなる遠心ファンは、第２ファンロータと第２ボスからなる遠心ファンに、より確実に固定される。これにより、本発明の遠心ファンを送風機などに組み込む作業においても、本発明の遠心ファンを一体的に扱うことがより確実となる。また、第１ボスが第１螺子によりモーターのシャフトと止着されることで、本発明の遠心ファンをモーターのシャフトに対して、より確実に固定することができる。
請求項１２にかかる遠心ファンでは、第１主板が第２主板と止着される。これにより、第１ファンロータと第１ボスからなる遠心ファンは、第２ファンロータと第２ボスからなる遠心ファンに、より確実に固定される。これにより、本発明の遠心ファンの強度を増すことができる。
【図面の簡単な説明】
【図１】片吸込ファンの従来例。
【図２】両吸込ファンの従来例
【図３】２つのファンロータを持つ遠心ファンの従来例。
【図４】図３に示す遠心ファンの径方向断面図。
【図５】本発明の第１実施形態にかかる遠心ファン。
【図６】図５に示す遠心ファンの径方向断面図。
【図７】図５に示す遠心ファンの分割状態。
【図８】第２ボスの第１ボスへの固定の変形例であって、第１ボス及び第２ボス付近を拡大して示す遠心ファンの径方向断面図。
【図９】図８のＡ−Ａ断面図。
【図１０】第２ボスの第１ボスへの固定の変形例であって、図８に相当する図。
【図１１】第２ボスの第１ボスへの固定の変形例であって、図８に相当する図。
【図１２】本発明の第２実施形態にかかる遠心ファンであって、図６に相当する図。
【符号の説明】
２０、１２０　　　遠心ファン
２１ａ、１２１ａ　第１ファンロータ
２１ｂ、１２１ｂ　第１ボス
２１ｃ、１２１ｃ　第１主板
２１ｅ　　　　　　凸部
２１ｆ　　　　　　第１係合螺子部
２２ａ、１２２ａ　第２ファンロータ
２２ｂ、１２２ｂ　第２ボス
２２ｃ、１２２ｃ　第２主板
２２ｅ　　　　　　凹部
２２ｆ　　　　　　第２係合螺子部
３１、１３１　　　第１螺子
３２、１３２　　　第２螺子
４２　　　　　　　接着剤
１２１ｅ　　　　　当接部
８１、１８１　　　モーター
８２、１８２　　　シャフト
【図１】
2004003466.tif 000003
【図２】
2004003466.tif 000004
【図３】
2004003466.tif 000005
【図４】
2004003466.tif 000006
【図５】
2004003466.tif 000007
【図６】
2004003466.tif 000008
【図７】
2004003466.tif 000009
【図８】
2004003466.tif 000010
【図９】
2004003466.tif 000011
【図１０】
2004003466.tif 000012
【図１１】
2004003466.tif 000013
【図１２】
2004003466.tif 000014